(57)【要約】【課題】コックリングが発生しやすい記録媒体とコックリングが発生しにくい記録媒体のいずれに対しても高画質の記録を実現するインクジェット記録装置を提供する。【解決手段】リブ１１ａを有するプラテン１１と、リブ１２ａを有する補助プラテン１２は異なる部材で構成されている。補助プラテン１２は、バネ３８により矢印Ｃ方向に付勢されていて、Ｄカット軸３９の回転に応じて移動できる。リブ１１ａの上面と、リブ１２ａの上面とが形成する記録シートＰ１を支持する表面状態が切換えられる。コックリングが発生しやすい記録シートＰ１は凹凸状態で保持されてインクを吐出される。【選択図】  図７
2004167738.tif 000002
【特許請求の範囲】
【請求項１】
記録媒体を搬送する搬送手段と、インクを吐出することにより前記記録媒体に記録を行う記録手段を保持する保持手段と、前記記録媒体の非記録面を支持する、記録媒体搬送方向に延長したリブ状突起を備えた記録媒体支持手段とを有するインクジェット記録装置において、
前記記録媒体支持手段は、第１のリブ状突起を有する第１の部材と、前記第１の部材と別部材で構成されて、移動可能に設けられた、第２のリブ状突起を有する第２の部材と、前記第１の部材に対して前記第２の部材を移動させて、前記第１のリブ状突起の上面と、前記第２のリブ状突の上面とで形成される前記記録媒体支持手段の表面状態を選択的に切換える切換機構とを有することを特徴とするインクジェット記録装置。
【発明の詳細な説明】
【０００１】
【発明の属する技術分野】
本発明は、複写機、ワープロ、パーソナルコンピュータ、ファクシミリ等の出力機器として用いられる記録装置に関し、特に、液体を吐出して記録を行うインクジェット記録装置に関するものである。
【０００２】
【従来の技術】
従来、液体を吐出して記録を行うインクジェット記録装置では、吐出された液体が記録媒体に染み込み、記録媒体が膨潤することで、記録媒体が波打ち状に変形するコックリングと呼ばれる問題が知られている。そこで、コックリングの影響を排除して安定な記録を行うために、液体の吐出口と対向する位置に配置され、記録媒体の非記録面を支持する記録媒体支持手段上に凹凸部形状を備え、かつ、記録媒体を記録媒体支持手段側へ付勢する付勢手段を備え、これらにより記録媒体を安定的に保持しながら搬送することでコックリングを防止する技術（以下コックリング制御と言う）が提案されている（例えば、特許文献１参照。）。
【０００３】
以下に図８を参照して従来技術のコックリング制御について説明をする。
【０００４】
記録ヘッド１１９からのインク吐出時に、記録媒体Ｐの非記録面を上面で支持する第１のリブ状突起１１１ａと、第１のリブ状突起１１１ａの上面より低い位置に上面を有する第２リブ状突起１１２ａとが記録ヘッド１１９に対向する位置に配置されたプラテン１１１に設けられている。また、第１のリブ状突起１１１ａと同間隔に配された拍車１３０と、隣り合う２つの第１のリブ状突起１１１ａ間に設けられた２つの第２のリブ状突起１１２ａの中間に配された付勢拍車１４２が記録媒体Ｐをプラテン１１１側に付勢する。記録媒体Ｐは、第１のリブ状突起１１１ａと、第２のリブ状突起１１２ａおよび、拍車１３０と付勢拍車１４２によって図示例のように予め波打った状態で挟持されながら搬送され、記録ヘッド１１９からインクが吐出され画像形成される。画像形成された記録媒体Ｐは、記録ヘッド１１９に対して記録媒体Ｐの搬送方向下流に配置された排出ローラ１２８により排出される。
【０００５】
このように、予め微小に波打った状態に記録媒体Ｐを支持してインクを吐出することで、記録媒体Ｐがインクを吸収して膨潤した場合であっても、記録媒体Ｐは図中破線にて示すように第１リブ状突起１１１ａと、第２リブ状突起１１１ｂの間にのみ膨らむので、記録媒体Ｐの波打ちを最小限に抑えることができる。
【０００６】
【特許文献１】
特開２０００−１５８６４４号公報
【０００７】
【発明が解決しようとする課題】
しかしながら、従来のコックリング制御手段を備えた記録装置では、記録媒体に記録を開始する前から、前記記録媒体に予め微小な波打ち状態を発生させているため、一般的に使用される普通紙などのようにインクを吸収して膨潤しやすい、すなわちコックリングが発生しやすい記録媒体に記録する際には効果的であっても、例えばＯＨＰフィルムや写真記録用紙などのコックリングが発生しにくい記録媒体を使用する際では、微小な波打ちを発生させているので、この波打ちの影響で記録に波打ち状のムラが発生するという欠点があった。
【０００８】
そこで本発明の目的は、コックリング制御が必要な記録媒体にのみコックリング制御を実施し、コックリング制御を必要としない記録媒体の場合にはコックリング制御のための構成に影響を受けず、画像劣化が発生しないインクジェット記録装置を提供することにある。
【０００９】
【課題を解決するための手段】
上記目的を達成するための本発明のインクジェット記録装置は、記録媒体を搬送する搬送手段と、インクを吐出することにより記録媒体に記録を行う記録手段を保持する保持手段と、記録媒体の非記録面を支持する、記録媒体搬送方向に延長したリブ状突起を備えた記録媒体支持手段とを有するインクジェット記録装置において、記録媒体支持手段は、第１のリブ状突起を有する第１の部材と、第１の部材と別部材で構成されて、移動可能に設けられた、第２のリブ状突起を有する第２の部材と、第１の部材に対して第２の部材を移動させて、第１のリブ状突起の上面と、第２のリブ状突の上面とで形成される記録媒体支持手段の表面状態を選択的に切換える切換機構とを有することを特徴とする。
【００１０】
本発明のインクジェット記録装置は、記録媒体の非記録面を支持する記録媒体支持手段を、第１のリブ状突起を有する第１の部材と、第１の部材と別部材である、第２のリブ状突起を有する第２の部材とで構成し、さらに第２の部材の位置が液滴の吐出方向に移動できるような切換機構を設ける。こうすることで、第１のリブ状突起上面と第２のリブ状突起上面で形成される記録媒体支持手段の表面形状は、選択的に切換可能となる。具体的には、切換機構を作動させて第２の部材を移動させると、第１のリブ状突起上面と第２のリブ状突起上面の高低差が変化するので、両リブ状突起の上面が形成する表面状態が変化する。そして記録媒体は、搬送手段として設けられた拍車などにその記録面側を支持される一方で、非記録面側はリブ状突起の上面で支持されるので、リブ状突起上面の表面形状が変化すると、記録媒体の支持状態も変化する。このように構成されたインクジェット記録装置を用いることで、記録媒体の種類に応じて、記録媒体の支持状態をコックリング制御時の形態と、コックリング制御不要時の形態とに切換えられるので、結果的に記録媒体に応じたコックリング制御を提供でき、コックリング制御不要な記録媒体に対しても画像劣化の少ない記録が実現できる。
【００１１】
【発明の実施の形態】
以下、本発明の実施の形態について図面を参照して説明する。
【００１２】
図１は、本発明の一実施形態のインクジェット記録装置の外観斜視図である。図２は、インクジェット記録装置内部の概略構成を示す斜視図である。
【００１３】
図２に示すように、本実施形態におけるインクジェット記録装置は、インクを吐出して記録を行う記録部２０と、記録媒体の記録シートＰを記録部２０に供給する給紙部３と、記録シートＰの搬送および排紙を行う搬送排紙部８とで概略構成される。以上の機構が、図１に示すように本実施形態のインクジェット記録装置の筐体を構成する上ケース１および下ケース２内に収納されている。
【００１４】
また、本インクジェット記録装置は、例えばパーソナルコンピュータによる操作といった、外部からの操作に応じて上述した記録部２０、給紙部３および搬送排紙部８の駆動を制御する不図示の制御手段を有する。
【００１５】
図２に示すように、給紙部３は水平方向に対し３０°〜６０°の角度を持って装置本体に取付けられており、給紙部３の下方には、記録シートＰを略水平のまま給紙するための不図示の給紙口が備えられている。
【００１６】
給紙部３には、不図示の給紙モータの駆動により回転する給紙ローラ４、可動サイドガイド５、圧板６、ベース７、および不図示の分離爪等が備えられている。
【００１７】
記録部２０は、インクを吐出して記録を行うインクジェット方式の記録ヘッド１９と、記録ヘッド１９を搭載して記録シートＰ上を往復走査するキャリッジ２１を有する。また、記録ヘッド１９には、電気基板（不図示）からのヘッド駆動信号を伝達するための不図示のフレキシブル基板等が装備されている。
【００１８】
キャリッジ２１は、このインクジェット記録装置の記録部２０のベースとなるフレーム３２に固定されたガイド軸２２および、フレーム３２の上部に設けられ、記録ヘッド１９と記録シートＰとの距離を維持するガイド２３により支持される。また、フレーム３２の一端にはキャリッジモータ２４が固定され、他端にアイドルプーリ２６設けられている。キャリッジモータ２４とアイドルプーリ２６には、キャリッジモータ２４の駆動をキャリッジ２１に伝達するようにタイミングベルト２５が張られている。
【００１９】
また、ガイド軸２２の片端に設けられた偏心カム部３４ａは、図１に示すように筐体外に突出して外部から操作可能な紙間レバー３４に連動しており、図２の矢印Ａ方向に紙間レバー３４を操作することで、記録ヘッド１９と記録シートＰの位置関係を調整することができる。
【００２０】
なお、インク吐出に使用するエネルギー発生手段としては、ピエゾ素子等の電気機械変換体を用いた記録方法、レーザー等の電磁波を照射して発熱させ、発熱による作用で液滴を吐出させるエネルギー発生手段を用いた記録方法、あるいは、発熱抵抗体を有する発熱素子等の電気熱変換体によって液体を加熱して液体を吐出させるエネルギー発生手段を用いた記録方法などがある。
【００２１】
その中でも、熱エネルギーによって液体を吐出させるインクジェット記録方式に用いられる記録ヘッドは、記録用の液滴を吐出して吐出用液滴を形成するための液体吐出口（オリフィス）を高密度に配列することができるために、高解像度の記録をすることが可能である。その中でも、電気熱変換体をエネルギー発生手段として用いた記録ヘッドは、コンパクト化も容易であり、かつ、最近の半導体分野における技術の進歩と信頼性の向上が著しいＩＣ技術やマイクロ加工技術の長所を十二分に活用でき、高密度実装化が容易で、製造コストも安価なことから有利である。
【００２２】
液体吐出口の吐出状態を検査したり、記録ヘッド１９を交換したりする場合は、図１に示すインクジェット記録装置上部に開閉可能に設けられたアクセスカバー３３を開け、内部を操作するとよい。
【００２３】
搬送排紙部８は、記録部２０の下側に設けられていて、図４の断面図に示すように、大別して記録シートＰを記録ヘッド１９のインク吐出部まで搬送する搬送ローラ９、ピンチローラ１０と、インク吐出部に対向するプラテン１１、補助プラテン１２と、記録シートＰを搬出する排紙ローラ２８、拍車３０とを有する。
【００２４】
これらは具体的には図３の斜視図に示すように、搬送排出部８に複数個ずつ配置されており、１本の搬送ローラ９の上部に複数のピンチローラ１０が設けられている。ピンチローラ１０は、ピンチローラばね１４を支持しているピンチローラホルダ１３を介して、ピンチローラばね１４の付勢力によって搬送ローラ９に付勢されているため、搬送ローラ９の回転に従動して回転し、記録シートＰを挟持搬送することができる。また、図４に示すように、ピンチローラ１０は搬送ローラ９の搬送方向下流側の位置で付勢されるため、記録シートＰの先端は斜め下方に向き、プラテン１１、補助プラテン１２に当接しながら搬送される。
【００２５】
図３に示すように、回転可能に支持された排紙ローラ軸２７上に排紙ローラ２８が複数配置されている。また、排紙ローラ軸２７の回転に従動して記録シートＰを挟持する拍車３０と付勢拍車４２は、より詳細には図５に示すように、拍車ステイ３７上に拍車ホルダ３６，４１を介して設けられる。拍車３０と付勢拍車４２はそれぞれ、バネ軸２９で拍車ホルダ３６、拍車ホルダ４１に固定される。このように構成された拍車ステイ３７が図３に示すように、排紙ローラ２８の上部に配置される。
【００２６】
搬送ローラ９および、排紙ローラ２８の駆動は、図２に示す搬送排紙部８の側部に配置された搬送モータ１８の駆動が動力となる。すなわち、搬送モータ１８の回転は、一方で中間ギア１７と搬送ローラギア１６を介して搬送ローラ９に伝達され、他方で中間ギア１７と排紙ローラギア１５を介して排紙ローラ２８に伝達される。こうして搬送ローラ９および排紙ローラ２８が回転することで記録シートＰが搬送される。記録が完了した記録シートＰは図１に示す排紙トレイ３１に搬送される。
【００２７】
本実施形態のインクジェット記録装置では、プラテン１１と補助プラテン１２は図３に示すように別部材により構成されており、搬送ローラ９と排紙ローラ２８の中間部に配置され、このプラテンに対向する領域を記録ヘッド１９が走査する。プラテン１１と補助プラテン１２は、互いに異なる形状のリブ状突起を有し、補助プラテン１２上にはリブ１２ａが、またプラテン１１上にはリブ１１ａがそれぞれ搬送方向に延びて複数形成されている。
【００２８】
搬送排紙部８のフレーム３２への組付け方法は、フレーム３２に設けられたＰＲステイ３５に、各ピンチローラホルダ１３に２つずつ設けられた回転軸１３ａを挿入することで、回転可能に支持される。
【００２９】
図６、図７を参照して、リブ１１ａとリブ１２ａについてより詳細に説明する。図６はコックリング制御不要時のプラテン部周辺の挙動を示す図である。図７はコックリング制御時のプラテン部周辺の挙動を示す図である。図６（ａ）、図７（ａ）はプラテン部周辺の断面図であり、図６（ｂ）、図７（ｂ）は図３に示す矢印Ｂ方向の矢視図である。
【００３０】
上述のように、プラテン１１と、補助プラテン１２は別部材により構成されていて、両部材はプラテン１１の端部に設けられた係合部１１ｂと、補助プラテン１２の一端に備えた回転中心軸１２ｂによって回転自在に係合されている。リブ１１ａとリブ１２ａはそれぞれ水平面部１１ａ−１、１２ａ−１および、搬送方向上流側に向かって傾斜する傾斜面１１ａ−２、１２ａ−２を有している。そして、リブ１２ａの傾斜面１２ａ−２の方がリブ１１ａの傾斜面１１ａ−２より緩やかに形成されている。また、プラテン１１には開口部１１ｃが設けられており、リブ１２ａはこの開口部１１ｃ内に位置し、プラテン１１に干渉することなく回動することができる。
【００３１】
補助プラテン１２の回転中心軸１２ｂが配置されている端部の反対側の端部に、ばね掛け部１２ｃが備えられている。また、補助プラテン１２の下方には、インクジェット記録装置内の不図示の支持体に固定されたばね掛け部４０ａを有する固定台４０が配置され、補助プラテン１２のばね掛け部１２ｃとばね掛け部４０ａにバネ３８が架けられているので、補助プラテン１２は常に、インクの吐出方向と同方向である矢印Ｃの方向に付勢される。
【００３２】
一方、補助プラテン１２の下部であり、補助プラテン１２と固定台４０の中間部には、不図示の駆動モータにより回転可能に構成され、不図示の支持体によって回転中心３９ａを中心として回転可能に保持されているＤカット軸３９が設けられていて、その回転軸方向は記録ヘッド１９の走査方向と同方向である。インク吐出方向である矢印Ｃ方向への補助プラテン１２の回動は、Ｄカット軸３９の回転角度によって規制されている。すなわち、Ｄカット軸３９の局面部で補助プラテン１２を支持する状態では、リブ１１ａの上面とリブ１２ａの上面高さが同一となる状態となる（図６参照）。一方、Ｄカット軸３９の平面部で補助プラテン１２を支持する状態では、リブ１１ａとリブ１２ａには段差が発生した状態となる（図７参照）。
【００３３】
リブ１１ａの配置間隔と同間隔で、拍車３０および排紙ローラ２８が配置されている。２つのリブ１１ａの間にリブ１２ａが２個配置されており、付勢拍車４２がこれら２個のリブ１２ａの中間位置を付勢するように配置される。これにより、図７に示すように記録シートＰを安定して波打ち状態に保持できる。
【００３４】
なお、Ｄカット軸３９の操作は、例えば本インクジェット記録装置に接続されるパーソナルコンピュータ上で、使用者が本インクジェット記録装置のドライバを操作するといった、不図示の制御手段より実行され、使用者が指示する紙種によりＤカット軸３９の回転駆動を制御する。
【００３５】
なお、Ｄカット軸３９の断面形状は、一般的なＤカット形状に限らず、補助プラテン１２に当接して、回転に連動して補助プラテン１２の位置を移動させるカム状の偏芯回転体形状でもよい。
【００３６】
以上のように構成された本実施形態のインクジェット記録装置のコックリング制御について、記録シートＰが、コックリングしやすい記録シートＰ１（例えば、普通紙）の場合と、コックリングしにくい記録シートＰ２（例えば、光沢紙）の場合を、図６、図７を主に参照して説明する。
【００３７】
まず、コックリングしやすい記録シートＰ１を使用する際には、不図示の制御手段により記録シートＰの選択を記録シートＰ１と指定すると、Ｄカット軸３９が不図示の駆動モータによって回転し図７の状態となり、記録シートＰ１の非記録面側を保持する記録媒体支持表面は凹凸状態となる。
【００３８】
この状態で、給紙部３の圧板６上に積載された記録シートＰ１が、不図示の分離爪と給紙ローラ４により、１枚ずつ搬送排出部８に搬送される。記録シートＰ１は、上述したようにオフセットしたピンチローラ１０と拍車３０の作用により、リブ１１ａ、およびリブ１２ａに当接する方向で搬送される（図４参照）。
【００３９】
記録シートＰ１が、記録ヘッド１９のインク吐出部と対向する位置に搬送されると、キャリッジ２１が記録シートＰ１上を走査しながら記録ヘッド１９からインクを吐出して記録を行う。キャリッジ２１の１回の走査終了後、搬送モータ１８が作動して記録シートＰ１を所定距離だけ搬送し、再びキャリッジ２１が走査して記録が進められる。
【００４０】
このように記録シートＰ１に記録が行われ、さらに搬送されると、排紙ローラ２８および、付勢拍車４２、拍車３０に挟持される状態となる。この状態では図７（ｂ）に示すように、記録シートＰ１が拍車３０、付勢拍車４２によってリブ１１ａ、リブ１２ａに付勢されている。すなわち、記録シートＰ１はリブ１１ａ部分が頂点であり、付勢拍車４２によって付勢される部分が谷である波打ち状態となっており、従来技術に提案されているプラテン部にリブなどを設け凹凸形状を形成して実施するコックリング制御と同様な制御が実施できる。
【００４１】
次に、コックリングしにくい記録シートＰ２を使用する際にはインクジェット記録装置のコックリング制御は不要であり、不図示の制御手段により記録シートＰの選択を記録シートＰ２と指定すると、Ｄカット軸３９が不図示の駆動モータによって回転し図６の状態となる。
【００４２】
図６の状態では、リブ１１ａ、リブ１２ａの水平面部１１ａ−１、１２ａ−１の高さは同一である。この状態で、上述の搬送動作と同様に記録シートＰ２を搬送排紙部８に搬送すると、リブ１１ａ、リブ１２ａの水平面部１１ａ−１、１２ａ−１の高さは同一となっているので付勢拍車４２で記録シートＰ２を付勢しても、記録シートＰ２は平滑な状態を維持しながら搬送され、記録が実施される。結果的に、記録シートＰ２は波打たない状態でインクの供給を受けることができるので、コックリング制御機構の影響を受けることなく画像の劣化の少ない記録が実施できる。
【００４３】
以上説明したように、本実施形態のインクジェット記録装置は、リブ１１ａと、リブ１２ａがそれぞれ形成された、異なる部材で構成されたプラテン１１、補助プラテン１２を有している。そして、記録シートＰの種類に応じて記録媒体指示表面は、リブ１１ａの上面と、リブ１２ａの上面が同一高さとなる状態と、両リブの上面に段差が発生した状態とに切換可能である。そのため記録シートＰの種類に応じて、選択的にコックリング制御できるので、コックリング制御を伴う記録シートＰ１への記録を行えるとともに、コックリング制御の不要な記録シートＰ２へも画像劣化の少ない記録を行える。
【００４４】
上述の実施形態の説明において、記録シートＰ１および記録シートＰ２の種類を、それぞれ普通紙および光沢紙と例示したが記録シートＰの種類はこれらに限定されるものではなく、例えば、表１のようにコックリング制御を必要とする記録シートＰ１と、必要としない記録シートＰ２を分類してもよい。コックリング制御を必要とする記録シートＰ１は、普通紙および高品位専用紙（例えば商品名：ＨＲ１０１；キヤノン（株）製）が挙げられ、コックリング制御を必要としない記録シートＰ２としては、写真専用紙、光沢紙、光沢フィルム（順に例えば、商品名：ＰＲ１０１、ＧＰ３０１、ＨＧ２０１；キヤノン（株）製）や、はがき、封筒、ＯＨＰフィルムなどが挙げられる。
【００４５】
【表１】
2004167738.tif 000003
【００４６】
また、上述の実施形態では、記録シートＰの選択をドライバ等で使用者が指定して実施する場合について説明したが、記録シートＰの種類を判別する紙種判別センサーを利用してもよい。すなわち、発光体で光を用紙に照射し，その光の反射率で表面の状態を感知して記録シートＰの種類を判別する紙種判別センサーを、給紙部３と搬送部８の間に設ける。インクジェット記録装置には、例えば表１のような記録シートＰの分類データを予め記憶させておく。記録実施の際には、紙種判別センサーの検知結果と記録シートＰの分類データが照合され、自動的に補助プラテン１２が移動する。これにより、使用者が記録シートＰの種類を判別して外部から指示するという手間を省くことができる。
【００４７】
本発明の実施態様の例を以下に列挙する。
【００４８】
〔実施態様１〕
記録媒体を搬送する搬送手段と、インクを吐出することにより記録媒体に記録を行う記録手段を保持する保持手段と、記録媒体の非記録面を支持する、記録媒体搬送方向に延長したリブ状突起を備えた記録媒体支持手段とを有するインクジェット記録装置において、記録媒体支持手段は、第１のリブ状突起を有する第１の部材と、第１の部材と別部材で構成されて、移動可能に設けられた、第２のリブ状突起を有する第２の部材と、第１の部材に対して第２の部材を移動させて、第１のリブ状突起の上面と、第２のリブ状突の上面とで形成される記録媒体支持手段の表面状態を選択的に切換える切換機構とを有することを特徴とするインクジェット記録装置。
【００４９】
〔実施態様２〕  表面状態は、第１のリブ状突起の上面と第２のリブ状突起の上面とが同一面となる状態と、第２のリブ状突起の上面が第１のリブ状突起の上面より低い位置となる状態とに切換わる、実施態様１に記載のインクジェット記録装置。
【００５０】
〔実施態様３〕  切換機構は、第２の部材を移動させる偏芯回転体を有する、実施態様１または２に記載のインクジェット記録装置。
【００５１】
〔実施態様４〕  切換機構は、第２の部材を一定方向に付勢する付勢手段を有する、実施態様１または２に記載のインクジェット記録装置。
【００５２】
〔実施態様５〕  切換機構は、使用者からの指示により作動される実施態様１または２に記載のインクジェット記録装置。
【００５３】
〔実施態様６〕  記録媒体の種類を判別する紙種判別手段をさらに有し、切換機構は、紙種判別手段の判定結果により作動される実施態様１または２に記載のインクジェット記録装置。
【００５４】
【発明の効果】
本発明によれば、記録媒体の種類に応じて、記録媒体を支持する記録媒体支持手段の表面状態を選択的に切換可能にすることで、コックリング制御の実施または非実施を選択できるため、コックリング制御が必要な記録媒体へ高品質な記録を実現できるとともに、コックリング制御が不要な記録媒体に対しても画像劣化の少ない記録を実現できるインクジェット記録装置を提供できる。
【図面の簡単な説明】
【図１】本発明の一実施形態のインクジェット記録装置の外観斜視図である。
【図２】インクジェット記録装置内部の概略構成を示す斜視図である。
【図３】インクジェット記録装置の搬送排紙部周辺の要部を示す斜視図である。
【図４】インクジェット記録装置の搬送排紙部周辺の要部を示す断面図である。
【図５】インクジェット記録装置の拍車配置の概念図である。
【図６】コックリング制御不要時のプラテン部周辺の挙動を示す図である。
【図７】コックリング制御時のプラテン部周辺の挙動を示す図である。
【図８】従来のコックリング制御技術の一例を示す模式図である。
【符号の説明】
１    上ケース
２    下ケース
３    給紙部
４    給紙ローラ
５    可動サイドガイド
６    圧板
７    ベース
８    搬送排紙部
９    搬送ローラ
１０    ピンチローラ
１１    プラテン
１２    補助プラテン
１３    ピンチローラホルダ
１４    ピンチローラバネ
１５    排紙ローラギア
１６    搬送ローラギア
１７    中間ギア
１８    搬送モータ
１９    記録ヘッド
２０    記録部
２１    キャリッジ
２２    ガイド軸
２３    ガイド
２４    キャリッジモータ
２５    タイミングベルト
２６    アイドルプーリ
２７    排紙ローラ軸
２８    排紙ローラ
２９    バネ軸
３０    拍車
３１    排紙トレイ
３２    フレーム
３３    アクセスカバー
３４    紙間レバー
３５    ＰＲステイ
３６、４１    拍車ホルダ
３７    拍車ステイ
３８    バネ
３９    Ｄカット軸
４０    固定台
４２    付勢拍車
Ｐ、Ｐ１、Ｐ２    記録シート
【図１】
2004167738.tif 000004
【図２】
2004167738.tif 000005
【図３】
2004167738.tif 000006
【図４】
2004167738.tif 000007
【図５】
2004167738.tif 000008
【図６】
2004167738.tif 000009
【図７】
2004167738.tif 000010
【図８】
2004167738.tif 000011